(57)【要約】窓１１のような構造物の部分を防護するためのパネル１０が、コーナー部材２０によって相互に連結される四つの溝形部材１６〜１９からなるフレーム部材１３を含む。各溝形部材１６〜１９の一方の端部が開口部を含み、可撓性材料のシート３３のエッジを受ける。シート３３は、その各エッジの付近に厚肉領域３４を有する。布締付引伸部材１５が、各溝形部材１６〜１９の開口部を閉じ、布シート３３の厚肉領域３４を係合して、フレーム部材１３内に、シート３３を引伸ばす。
2005536670.tif 000002
【特許請求の範囲】
【請求項１】
構造物に取り付けられるパネルであって、
少なくとも一対の対向する溝形部材であって、前記溝形部材の各々が、開口部を有する、ところの溝形部材、
少なくとも二つの対向するエッジの付近に厚肉領域を有する、可撓性材料のシートであって、対向するエッジが、前記溝形部材の各々の前記開口部に受けられる、ところのシート、及び
前記布シートを引き伸ばし、前記エッジの各々を前記溝形部材の各々に維持させるように、前記溝形部材を係合し、前記厚肉領域を係合する手段、
から成るパネル。
【請求項２】
請求項１のパネルであって、
前記溝形部材の各々が、前記手段によって係合されるリップを含む、
ところのパネル。
【請求項３】
請求項２のパネルであって、
前記手段が、
前記開口部を閉じるプレート、及び
前記厚肉領域を係合するように、前記プレートに担持されるフランジ、
を含む、
ところのパネル。
【請求項４】
請求項３のパネルであって、
前記手段が、前記プレートを前記リップに取り付ける取付手段を含む、
ところのパネル。
【請求項５】
請求項４のパネルであって、
前記プレートが、角度をつけた部分を含み、
前記リップが、角度を付けた部分を含み、
前記プレートが、それぞれの前記角度を付けた部分で前記リップに取り付けられる、
ところのパネル。
【請求項６】
請求項４のパネルであって、
前記取付手段が、ファスナーである、
ところのパネル。
【請求項７】
請求項４のパネルであって、
前記取付手段が、前記フランジ上の歯に係合する前記リップ上の歯を含む、
ところのパネル。
【請求項８】
請求項４のパネルであって、
前記取付手段が、前記リップに係合させるための、前記フランジ上のバーブを含む、
ところのパネル。
【請求項９】
請求項１のパネルであって、
二対の対向する溝形部材があり、
隣接する溝形部材を連結してフレームを形成するためのコーナー部材、
からさらに成るパネル。
【請求項１０】
請求項９のパネルであって、
前記コーナー部材の各々が、隣接する溝形部材内に受けられるブランチを有し、
前記溝形部材に各ブランチを取り付けるための手段、
からさらに成るパネル。
【請求項１１】
請求項１０のパネルであって、
前記溝形部材の各々が、リップを含み、
前記コーナー部材の前記ブランチの各々が、壁を含み、
前記リップが、前記壁に取り付けられる、
ところのパネル。
【請求項１２】
請求項１のパネルであって、
前記溝形部材の各々が、前記構造物に連結される取付フランジを含む、
ところのパネル。
【請求項１３】
請求項１２のパネルであって、
前記溝形部材の各々が、
前記取付フランジに担持される第一の壁、
前記第一の壁と間隔をあけた第二の壁、及び
前記第一及び第二の壁を連結し、前記開口部と反対側の前記溝形部材を閉じる側壁、
を含む、
ところのパネル。
【請求項１４】
請求項１のパネルであって、
前記手段が、
前記溝形部材を係合するベース、及び
前記ベースによって担持される、間隔をあけたフランジ、
を含み、
前記フランジのうちの一方のフランジが、前記厚肉領域を係合する、
ところのパネル。
【請求項１５】
請求項１４のパネルであって、
前記フランジのうちの前記一方のフランジが前記厚肉領域を係合するか又は前記可撓性材料に衝撃が与えられると、前記フランジのうちの前記一方のフランジが、前記フランジのうちの他方のフランジに向けて移動する、
ところのパネル。
【請求項１６】
請求項１のパネルであって、
前記溝形部材の各々が、リップを含み、
前記手段が、前記リップに取り付けられるプレートと、前記プレートによって担持されるフランジとを含み、
前記フランジが、前記厚肉領域を係合する、
ところのパネル。
【請求項１７】
請求項１のパネルであって、
前記溝形部材の各々が、歯を有するリップを含み、
前記手段が、前記リップの前記歯に係合する歯を有するフランジを含む、
ところのパネル。
【請求項１８】
請求項１のパネルであって、
前記溝形部材の各々が、リップを含み、
前記手段が、前記リップを係合するバーブを有するフランジを含む、
ところのパネル。
【請求項１９】
請求項１のパネルであって、
前記溝形部材の各々が、角度を付けた部分と壁部分とを有するリップを含み、
前記手段が、角度を付けた部分を有し、前記リップの前記角度を付けた部分に取り付けられるように適合されるプレートを含む、
ところのパネル。
【請求項２０】
構造物に取り付けられるパネルであって、
四つの溝形部材であって、前記溝形部材の各々が、フレームを形成するように、隣接する溝形部材の端部に連結される端部を有し、前記溝形部材の各々が開口部を有する、ところの溝形部材、
可撓性材料のシートであって、前記シートが、そのエッジの各々の付近に形成される厚肉領域を有し、前記材料が、前記開口部を通じて前記溝形部材の各々に受けられる、ところのシート、及び
前記溝形部材の各々のための布締付引伸部材であって、前記締付引伸部材が、前記溝形部材の前記開口を閉じ、前記可撓性材料を引き伸ばす、ところの布締付引伸部材、
から成るパネル。
【発明の詳細な説明】
【技術分野】
【０００１】
本発明は、構造物の開口（窓や他の構造物の開口）をカバーし、シールすることによって、水や空気の侵入に起因したダメージや、風などにより飛ばされた破片が構造物の外面に衝突することに起因する構造物の劣化から、財産を防護するためのデバイスに関するものである。特に、本発明は、容易に設置できるようなパネルの形態にあり、緊張させた布（又はテンションドファブリック）（tensioned fabric）材料からなる、上記のようなデバイスに関するものである。
【背景技術】
【０００２】
台風や竜巻などのような気象現象が、ビルディングの構造にダメージを与える原因となることがある。この強風により、及び／又はこれにより飛ばされた破片などにより、窓や扉が壊され、当然、構造物が傷つけられ、その内部にさらにダメージを与える。このことから、特に、破壊的な気象条件を受ける地域では、構造物の最も弱い部分（通常、窓や扉）を幾つかのタイプのカバーを用いて防護することが重要となっている。
【０００３】
旧来は、近づいてくる嵐に備えて、家やビルディングの持ち主が、その最も弱い部分に板を釘止めして、この部分をカバーしていた。しかし、この“板止め”の方法は、時間が必須であるときに時間を費やすだけでなく、頻繁な板の取付けや取外しにより、構造物の外部が傷つけられる。また、板の在庫を保管したり、確保しておくための空間を、他のことに使用できる。
【０００４】
その結果、一時的に設置できる、又は永久的に設置される多数のシャッターが開発されてきた。しかし、一般に、これらデバイスは高価であり、設置や分解が難しく、保管が厄介である。例えば、手動的に、又はモータにより自動的にロールダウンされなければならないロールアップ式の段々の付いた材料からなるシャッターのうちの幾つかは、非常にコストがかかるものである。変形的に、アルミニウム、スチール等の金属パネルは、防護する各構造物の開口用に特別に設計され、特別のフレーム上の構造物の壁に取り付けられる。常に、ＬＥＸＡＮ（登録商標）タイプの材料が、デバイスの金属部分に置き換えられてきた。しかし、これら変形物の全ては、非常に高価であり、審美的に好ましいものではなく、特に、ＬＥＸＡＮ（登録商標）タイプの材料の場合、風雨に耐えられるものではない。
【０００５】
シャッターのようなデバイスの他の変形物が、布ベースのシステムである。これらシステムは、この同等物よりも安価であるが、非常に大きく、嵩張り、設置が難しいものである。通常、これらは、屋根やバルコニーなどの張出しやヒサシに取り付けられるものであり、防護する窓や扉から２フィート以上の距離に位置決めされなければならない。これらは、被覆個所の特徴や張出しやヒサシに対するその位置に関係して、このような被覆個所の各々のために特別に設計されなければならず、また、これらは、通常、非常に大きく、設置と保管に問題がある。
【０００６】
したがって、従来技術のこれら問題に悩まされないシステムの必要性がある。
【発明の開示】
【発明が解決しようとする課題】
【０００７】
よって、本発明の目的は、ビルディング構造物の開口部（例えば、窓や扉）を被覆するためのパネルを提供することである。
【０００８】
本発明の他の目的は、構造物の開口部を被覆する可撓性のある布材料を有する軽量な上記のようなパネルを提供することである。
【０００９】
本発明のその他の目的は、容易且つ迅速に組み立てられ、組立て時に、被覆されるべき構造物の部分を防護するために、布を自動的に緊張させる、上記のような上記のようなパネルを提供することである。
【００１０】
本発明の付加的な目的は、容易に設置でき、構造物の開口部の周囲の壁に迅速に取り付けられる、上記のようなパネルを提供することである。
【００１１】
本発明の他の目的は、開口部上への設置時に、良好にシールするとともに、審美的な外観を与える、上記のようなパネルを提供することである。
【００１２】
本発明のその他の目的は、不使用時に、容易且つ利便的に保管できる、上記のようなパネルを提供することである。
【００１３】
本発明のこれら及び他の目的、及び従来技術を超える本発明の利点が、以下の説明から明らかになり、また以下の説明及び特許請求の範囲に記載の改良物によって達成される。
【課題を解決するための手段】
【００１４】
一般に、構造物に取り付けられるパネルが、少なくとも一対の対向する溝形部材を含み、こられ部材の各々が、開口部を有する。少なくとも二つの対向するエッジの付近に厚みのある領域（厚肉領域）をもった可撓性材料のシートが与えられる。対向するエッジの各々は、各溝形部材の開口部に受けられる。各溝形部材を係合し、可撓性材料の厚肉領域を係合するための手段が与えられ、可撓性材料を引っ張り、各溝形部材にエッジを維持させる。
【００１５】
本発明の他の態様に従って、パネルは、四つの溝形部材を含む。フレームを形成するため、これら部材の各々は、隣接するパネルの部材の端部に連結される端部を有する。可撓性材料のシートのエッジを受けるために、各溝形部材は、開口部を有する。可撓性材料のシートは、各エッジの付近に形成される厚肉領域を有する。各溝形部材のために、溝形部材の開口を閉じ、可撓性材料を引伸ばすために、布締付引伸手段が与えられる。
【発明の効果】
【００１６】
ここに開示されるいずれの実施物に従って組み立てられたパネルも、本発明の目的を達成するものであり、また従来技術のものを実質的に向上させるものである。
【発明を実施するための最良の形態】
【００１７】
好適に、（全ての変形物及び変更物を示さないが）本発明の実施例として、本発明の原理を組み入れたビルディング構造物の開口部を防護するためのパネルを添付図面に例示するが、本発明は、詳細な説明によって決定されるものではなく、特許請求の範囲によって決定されるものである。
【００１８】
図１に、本発明に従った、暴風（雨）から防護するためのパネル（ストームプロテクションパネル）１０を示す。このパネル１０は、構造物の窓１１（この窓は、フレーム１２を有する）上に取付可能のものである。パネル１０は、三つの主構成成分、すなわち、フレーム部材１３、可撓性材料１４、及び布を締付け、引伸ばす四つの布締付引伸部材１５から構成される。好適に、締付引伸部材１５は、利便的な理由で、分離可能の構成成分であり、組立て時に、部材１５を取り付けるパネル１０の形状にあるフレームの形状にある。
【００１９】
フレーム部材１３は、対向する上部及び底部溝形部材１６、１７、及び対向する側部溝形部材１８、１９を含む。溝形部材１６〜１９は、好適に、アルミニウムやスチールのような金属材料からなり、ほぼ同じ形状にある。溝形部材１６〜１９は、コーナー部材２０によって、これらの隣接する端部で相互に連結される。よって、コーナー部材２０が側部溝形部材１８を上部溝形部材１６に連結し、上部溝形部材１６を側部溝形部材１９に連結し、コーナー部材２０が側部溝形部材１９を底部溝形部材１７に連結し、コーナー部材２０が底部溝形部材１７を側部溝形部材１８に連結する。
【００２０】
各溝形部材１６、１７、１８、１９は、間隔をあけて対向する壁２２、２３を一体的に形成した取付フランジ２１を含む。これら壁２２、２３は、側壁２４によって相互に連結されている。壁２２、２３には、凹凸領域２５が設けられている。この凹凸領域２５は、溝形部材１６〜１９に幾らかの強度を付加するだけでなく、パネル１０の装飾的な表面を与えたり、溝形部材１６〜１９をより小さい空間に積み重ね可能にするものである。リップ２６が壁２２から壁２３に向けて張り出す。ただし、リップ２６は、壁２３へ到達するほど張り出しておらず、これにより、溝形部材１６〜１９は、側壁２４の向かい側に、部分的に開口した端部を有する。
【００２１】
図３及び図１０に、各コーナー部材２０のプロフィールと、溝形部材１６〜１９内に受け入れたコーナー部材２０を示す。各コーナー部材は、内壁２８を含むブランチを有し、内壁２８は、プレート２９によって外壁２８から離されている。リブ３０が、壁２８の付近で、プレート２９から張り出し、コーナー部材２０に安定性を付加している。また、ロケーターフィート３１が設けられ、コーナー部材２０を一方の凹凸領域２５に当接させている。コーナー部材２０の各ブランチは、リップ２６と内壁２７を通じて受けられるスクリュー３２によって溝形部材に取り付けられ得る。
【００２２】
可撓性部材１４は、好適に、布シート３３を含む。この布シート３３は、その周囲に厚肉領域３４を有する。布３３は、任意の丈夫で、好適に、軽量な、耐候性のある材料からなり、緊張力が与えられると、強風や飛んできた小片などにより生成された力に耐えることができるものである。例えば、ビニルやウレタンをコーティングしたナイロンやポリエステルの布が可撓性材料１４に適している。布シート３３のエッジの厚肉領域３４は、任意の利便的な方法により形成され得るものである。例えば、別の材料のストリップが、布シート３３の周囲に沿って、縫い付けられたり、接着されたり、溶着され得る。変形的に、シート３３のエッジは、折り返され、縫い付けられて、シート３３のエッジに沿って、二重の厚さまたはそれ以上の厚さの領域３４を形成し得る。
【００２３】
パネル１０は、まず、溝形部材１６〜１９の開口の端部を通じて、壁２２と壁２３との間の空間に布シート３３を位置決めすることによって組み立てられる。次に、締付引伸部材１５が、布シート３３を引っ張り、これを溝形部材１６〜１９内に維持し、溝形部材１６〜１９の開口部を閉じるために使用される。図４及び図５に、部材１５の一つの形態を示す。取付プレート３５と、取付プレートからほぼ直角に張り出したフランジ３６とを含むＬ字形の部材（好適に、アルミニウムやスチールのような金属材料からなる）を図示する。一つの部材１５が、プレート３５を通じ、溝形部材１６〜１９のリップ２６内に伸長する適当なファスナー（例えば、スクリュー３７）によって各溝形部材１６、１７、１８、１９に取り付けられる。スクリュー３７によってネジ止めされると、フランジ３６のエッジ３８が、布シート３３の厚肉領域３４を保持して、可撓性材料を引伸ばす。よって、スクリュー３７の締付け具合によって、布の緊張力が制御される。この引伸ばし（ストレッチング）は、少なくとも一つの方向（すなわち、上部溝形部材１６と底部溝形部材１７との間、又は側部溝形部材１８、１９の間）（ただし、好適に、材料は、四つの締付引伸部材１５の適用により、これら両方の方向に引伸ばされる）で達成できる。組立て時、部材１５は、材料を維持するだけでなく、材料を溝形部材１６〜１９内に保持し、シートをフランジ３６と壁２３との間に位置決めする。
【００２４】
図６に、部材１５の変形例と、溝形部材１６〜１９への取付けを示す。この実施例では、歯形セグメント３９が、各溝形部材１６〜１９のリップ２６の上部に形成され、フランジ３６に形成した歯４０と係合する。部材１５は、歯形セグメント３９と壁２３との間の溝形部材１６〜１９の開口部の空間内に押し込まれるだけであり、歯４０は、歯３９と係合して、布シート３３を所定の位置に保持する。また、この実施例においても、フランジ３６のエッジ３８が、布シートの厚肉領域３４と係合し、部材１５が溝形部材１６〜１９内に押し込められる距離に従って（すなわち、歯４０に係合したセグメント３９の歯の数がどれだけかに従って）力の具合が変化するので、布シートの緊張力を調節できる。
【００２５】
図７に、本発明に従った他の実施例を示す。この実施例では、ロックバーブ（lock barb）４１がフランジ３６に形成される。部材１５が押し込まれると（すなわち、フランジ３６のエッジ３８が布シート３３の厚肉領域３４を押し込むと）、布は、図示のように、バーブ４１がリップ２６の端部上にスナップ止めされるまで緊張される。この実施例は、緊張力を調節する手段が与えられていないため、布シート３３の製造に正確さが要求される。
【００２６】
図８に示す実施例では、各溝形部材１６、１７、１８、１９の壁２２が、壁２３に向けて張り出した部分４３を有する。部分４２が斜めに張り出し、その終点から、壁部分４３が壁２３に向けてほぼ直角に張り出す。同様に、この実施例では、締付引伸部材１５のプレート３５は、溝形部材１６〜１９の部分４２に沿うような角度を付けた部分４４を有する。ファスナー（例えば、スクリュー４５）が、部分４４を通じ、部分４２に内に伸長する。スクリュー４５によって締め付けられると、部材１５が移動して、布シート３３の厚みのある部分３４にフランジ３６のエッジ３８を作用させることによって、布シート３３に緊張力が調節可能に与えられる。
【００２７】
図９に、本発明に従った他の実施例を示す。この実施例では、リップ２６が溝形部材１６〜１９に与えられておらず、締付引伸部材１５が、間隔をあけて上向きに張り出したフランジ４７、４８を含むＹ字形の要素を有するベース４６を含む。フランジ４７の底部とベース４６との間の空間が、各溝形部材１６、１７、１８、１９の端部を受ける。部材１５は、ベース４６を通じて壁２２に受けられる適当なファスナー（例えば、スクリュー４５）によって所定の位置に保持される。フランジ４７の端部は、厚肉領域３４を係合すると、布シート３３に引伸ばし力を与える。これは、フランジ４７がフランジ４８に向けて移動したり、フランジ４８から遠ざかるように移動できるので、スプリングのような緊張力を作り出す。力を調節できるだけでなく、部材１５は、布シート３３が強風や小片の衝突の力を吸収する際の補助となる。つまり、力がシート３３に適用されると、フランジ４７がフランジ４８に向けて移動して、部材１５が、衝撃を吸収するように作用する。
【００２８】
全ての実施例では、パネル１０が組み立てられると、窓１１のフレーム１２、又は防護を要する構造物の任意の部分に、容易に取り付けることができる。この点について、図１に示すように、ファスナー５０が、溝形部材１６〜１９の取付フレーム２１の開口５１を通じて受けられ、フレーム１２内に挿入される。変形的に、窓フレーム１２は、スタッド等と一緒に設けられ、パネル１０は、開口５１を介してこれらスタッドに吊るされ得る。
【図面の簡単な説明】
【００２９】
【図１】図１は、構造物の窓上に受けられ得る本発明の原理に従ったパネルの斜視図である。
【図２】図２は、図１に示すパネルの主構成成分を示す分解斜視図である。
【図３】図３は、図２の一部の部分拡大図である。
【図４】図４は、図１のパネルの構成成分の幾つかの一部破断斜視図である。
【図５】図５は、図１の５−５線断面図であり、本発明のパネルの一つの実施例を示す。
【図６】図６は、図１の５−５線断面図であり、本発明のパネルの他の実施例を示す。
【図７】図７は、図１の５−５線断面図であり、本発明のパネルのその他の実施例を示す。
【図８】図８は、図１の５−５線断面図であり、本発明のパネルのその他の実施例を示す。
【図９】図９は、図１の５−５線断面図であり、本発明のパネルのその他の実施例を示す。
【図１０】図１０は、図１の６−６線断面図であり、図５に示す実施例を示す。
【符号の説明】
【００３０】
１０・・・パネル
１１・・・窓
１２・・・フレーム
１３・・・フレーム部材
１４・・・可撓性材料
１５・・・締付引伸部材
１６・・・上部溝形部材
１７・・・底部溝形部材
１８、１９・・・側部溝形部材
２０・・・コーナー部材
２１・・・取付フランジ
２２、２３・・・壁
２４・・・側壁
２５・・・凹凸領域
２６・・・リップ
３３・・・布シート
３４・・・厚肉領域
３５・・・取付プレート
３６・・・フランジ
３７・・・スクリュー
３８・・・エッジ
３９・・・歯形セグメント
４０・・・歯
４１・・・バーブ
４２・・・部分
４３・・・部分
４４・・・部分
４５・・・スクリュー
４６・・・ベース
４７、４８・・・フランジ
【図１】
2005536670.tif 000003
【図２】
2005536670.tif 000004
【図３】
2005536670.tif 000005
【図４】
2005536670.tif 000006
【図５】
2005536670.tif 000007
【図６】
2005536670.tif 000008
【図７】
2005536670.tif 000009
【図８】
2005536670.tif 000010
【図９】
2005536670.tif 000011
【図１０】
2005536670.tif 000012
【国際調査報告】
2005536670.tif 000013
2005536670.tif 000014